(57)【特許請求の範囲】
【請求項１】
吊元支柱に支持アームの基端部を水平回動自在に支持し、該支持アームの回動端部には扉本体の幅方向略中央部を水平回動自在に支持し、吊元支柱から略水平方向に延出するガイドレールを形成し、扉本体の吊元端部を前記ガイドレールに沿って移動自在で且つ回動可能とし、支持アームをガイドレールに向けて回動することにより、支持アームとは逆方向に回動する扉本体をガイドレールに沿って収納する門扉装置であって、支持アームの基端部と扉本体の吊元端部とを施錠する錠装置を設けたことを特徴とする門扉装置。
【請求項２】
支持アームの基端部と扉本体の吊元端部とを施錠する錠装置のレバーハンドルを、扉本体の幅方向略全域にわたって設けたことを特徴とする請求項１に記載の門扉装置。
【請求項３】
支持アームの基端部と扉本体の吊元端部とを施錠する錠装置のシリンダー並びにサムターンを、扉本体の幅方向略中央に設けたことを特徴とする請求項１または２に記載の門扉装置。
【発明の詳細な説明】
【０００１】
【発明の属する技術分野】
この発明は、住宅の門等に設置され、敷地の間口が狭小であっても大きな通路部が得られる門扉装置に関し、特に扉本体の開閉操作を簡便且つ確実に行い得る門扉装置に関するものである。
【０００２】
【従来の技術】
従来、パネル状の扉本体をヒンジ装置を介して吊元支柱に保持し、扉本体を水平回動自在とした開き門扉が知られているが、この種の開き門扉によれば、扉本体を開閉する際に操作者が扉本体を押し開けて通過した後、さらに扉本体を閉位置に押し戻す動作が必要となる。特に、操作者が車椅子からの操作となると、その開閉操作が甚だ煩わしいものであった。
【０００３】
一方、通路部を直線的に横切る引戸門扉であれば、扉本体を前後に動かす必要はなく、操作者は前後移動することなく同じ場所に居ながらにして操作可能であり、開き門扉と比較して操作性の点においては良好なものである。
しかしながら、引戸門扉は通路部の側方向に、扉本体の幅に相当する扉本体の収納スペースが必要となり、狭小地での施工には不向きなものでった。また、扉本体の移動方向を規制する案内レールを必要とする引戸門扉にあっては、通路部を横切る案内レールが路面に敷設されるため、該案内レールが車椅子等の通行の障害となるものであった。
【０００４】
【発明が解決しようとする課題】
そこで、本件出願人は、開閉操作が簡便に行え、しかも狭小地での施工に適した扉装置を先に提案（特願２０００−２８３０４７号参照）しているが、この扉装置は閉成操作の際に扉本体が回動しながら戸当り柱に当接するため、戸当り柱と扉本体を上手く確実に施錠することが困難であった。
また、扉本体を開閉操作するレバーハンドルが扉本体の片側位置に設けられているため、操作者は扉本体のレバーハンドルの前から操作を行えば、開閉操作は比較的簡便に行えるものの、他の位置からではレバーハンドルの位置が遠くなり、操作し辛くなるなどの欠点を有するものであった。
【０００５】
【発明が解決しようとする課題】
本発明の目的は、特願２０００−２８３０４７号に示されるような、扉本体が通路部と平行に収納し得る門扉装置の施錠を確実に行い得ると共に、開閉操作を簡便に行い得る門扉装置を提供するものである。
【０００６】
【課題を解決するための手段】
本発明者等は、このような事情に鑑み鋭意検討を重ねた結果、吊元支柱に支持アームの基端部を水平回動自在に支持し、該支持アームの回動端部には扉本体の幅方向略中央部を水平回動自在に支持し、吊元支柱から略水平方向に延出するガイドレールを形成し、扉本体の吊元端部を前記ガイドレールに沿って移動自在で且つ回動可能とし、支持アームをガイドレールに向けて回動することにより、支持アームとは逆方向に回動する扉本体をガイドレールに沿って収納する門扉であって、支持アームの基端部と扉本体の吊元端部とを施錠する錠装置を設けたことによって、所期の目的を達成したものである。
【０００７】
さらに、支持アームの基端部と扉本体の吊元端部とを施錠する錠装置のレバーハンドルを、扉本体の幅方向略全域にわたって設けたので、操作者は扉本体のどの位置においても、開閉操作を円滑に行うことができる。
【０００８】
また、支持アームの基端部と扉本体の吊元端部とを施錠する錠装置のシリンダー並びにサムターンを、扉本体の幅方向略中央に設けたので、操作者の動線を少なくすると共に、鍵をかけたり外したりする動作が扉本体のどの位置からでも無理なく行うことができる。
【０００９】
【００１０】
【作用】
この発明によれば、扉本体は支持アームに水平回動自在に支持されており、支持アームに対する扉本体の動きは一定の曲率による回転動作となるため、支持アームの基端部と扉本体の吊元端部を施錠する錠装置は、開き門扉の扉本体回動端と戸当り柱とを施錠する一般的な錠装置を用いることができ、確実な施解錠が可能となる。
【００１１】
【発明の実施の形態】
以下、発明の実施の形態を実施例に基づき説明する。
図中１は本発明門扉装置を表わし、門扉装置１は扉本体２によって通路部Ｒを開閉自在としている。扉本体２は、その上下位置がコ字状を呈する支持アーム３によって支持されている。支持アーム３の水平部３１の先端は、扉本体２の横框２１に枢着され、扉本体２が支持アーム３に対して水平回動自在に支持されている。
【００１２】
支持アーム３の基端部である垂直部３２は、通路部Ｒの側部に立設された吊元支柱４に枢着されており、支持アーム３は該枢着部を中心として水平回動自在に支持されている。より詳しくは、支持アーム３の垂直部３２の上下位置にヒンジ金具３２１を固着し、一方の吊元支柱４の上下部にはヒンジ金具３２１の位置に対応してヒジツボ金具４１を固着し、ヒンジ金具３２１の先端には垂直方向に貫通する軸孔を穿設し、ヒジツボ金具４１の先端には垂直軸を突設し、該垂直軸をヒンジ金具３２１の軸孔に挿通して、ヒンジ金具３２１とヒジツボ金具４１が回動自在に連結されている。
【００１３】
吊元支柱４の上端には、通路部Ｒに沿って略水平方向に延出するガイドレール５が接続されており、ガイドレール５の水平部５１には、下向きに開口する溝孔５２が形成され、溝孔５２の両側にはローラ走行部５３が平行状に形成されている。
扉本体２の吊元側に位置する縦框２２の上端には、アーム６が設けられ、アーム６の先端には首振り自在な車輪装置７が設けられている。車輪装置７はガイドレールの溝孔５２内に挿嵌され、車輪装置７に設けた一対の走行ローラ７１が前記ガイドレール５のローラ走行部５３上を転動する。このように、扉本体２の吊元側部はガイドレール５に沿って移動し得るよう規制されている。
【００１４】
扉本体２の吊元側に位置する縦框２２内には錠装置８が内蔵され、ラッチ８１とストライカー８２が縦框２２の側面より出没自在となっている。一方、支持アーム３の垂直部３２にはラッチ８１とストライカー８２が嵌入する受孔部が形成されており、ラッチ８１若しくはストライカー８２を該受孔部に嵌入することにより、支持アーム３に対する扉本体２の回動を阻止することができる。
【００１５】
扉本体２の前後面には、錠装置８のレバーハンドル９が水平状に設けられており、レバーハンドル９の両端部が扉本体２の左右に位置する縦框２２、２２に取付けられている。レバーハンドル９は滑り止め加工を施した把手部９１を前後に揺動することにより、錠装置８のラッチを出没可能としている。
さらに、扉本体２には横桟材２３が配設されているが、レバーハンドル９の近傍に位置する横桟材２３は他の桟材２３よりも幅広に形成され、当該横桟２３の前面側には錠装置８のストライカーを出没自在とするシリンダー１０が設けられ、裏面側にはサムターン１１が設けられている。
【００１６】
通路部Ｒを挟んで吊元支柱４と対向する位置には、戸当り支柱１２が立設されており、戸当り支柱１２の上下方向には、通路部Ｒを閉成状態とした際に、扉本体２の戸当り側の縦框２２が嵌入する凹部１２１が形成されている。
なお、図中１３は開成状態において扉本体２の戸当り側の縦框２２が当接する吊元支柱４に設けた戸当りである。
【００１７】
以上の構成からなる、本発明門扉装置１における扉本体２の動作を説明すると、まず図１に示した状態が扉本体２により通路部Ｒを閉鎖した閉成状態である。この状態においては、扉本体２に設けた錠装置８のラッチが支持アーム３に設けた受孔部に嵌入しており、支持アーム３に対して扉本体２は回動不能となり、支持アーム３と扉本体２が一体構造を呈している。支持アーム３はヒンジ金具３２１の軸孔を中心に回動するが、扉本体２の吊元側部はガイドレールに沿った直線移動であるので、扉本体２は移動不能となる。この時、戸当り側の縦框２２は、戸当り支柱１２の凹部１２１に嵌入しているので、扉本体２はより一層安定して閉成状態に保持される。
【００１８】
扉本体２の開成操作する場合、錠装置８のストライカー８２が受孔部に嵌入している場合には、シリンダー１０に鍵を挿入して解除するか、サムターン１１を回転してストライカー８２と受孔部の係合を外す。次に、操作者がレバーハンドル９を揺動して扉本体２と支持アーム３のラッチ８１による係合を解除して、前方側からの操作する場合は扉本体２を押す方向、後方側から操作する場合は扉本体２を引く方向に移動させると、支持アーム３がガイドレール５側に向けて回動を開始する。この時、扉本体２の吊元側の縦框２２の上端は、アーム６を介してガイドレール５に案内されているので、支持アーム３とは逆の方向に回動する（図７参照）。扉本体２の吊元側はガイドレール５に沿って移動し、扉本体２の戸当り側の縦框２２が吊元支柱４に設けた戸当り１３に当接して扉本体２の開成操作が終了する（図７参照）。
【００１９】
扉本体２を閉成操作する場合は、上記開成操作の逆の手順となる。
本発明門扉装置１の開閉操作においては、扉本体２の戸当り側の縦框２２は、吊元支柱４と戸当り支柱１２との間を略直線的に移動するため、開閉操作者は開き門扉とは異なり前後に移動することなく、開閉操作を簡便に行い得るものである。
また、レバーハンドル９は扉本体２の幅方向略全域にわたって水平状に設けられているので、操作者は扉本体２のどの位置からでも、開閉操作することができる。特に、上記実施例の門扉装置１であれば、扉本体２の吊元端部が直線運動と回転運動を含めた動作を行うので、レバーハンドル９を押したり引いたりすることにより、扉本体２の開閉操作を極めて容易に行うことができる。
【００２０】
【発明の効果】
本発明門扉装置によれば、支持アームの基端部と扉本体の吊元端部を施錠する錠装置を設けたので、扉本体は支持アームに水平回動自在に支持されており、支持アームに対する扉本体の動きは一定の曲率による回転動作となるため、一般的な開き門扉の錠装置を用いることができ、簡便且つ確実な施解錠が可能となる。
【図面の簡単な説明】
【図１】  本発明門扉装置の正面図
【図２】  本発明門扉装置の側面図
【図３】  本発明門扉装置の平面図
【図４】  本発明門扉装置の要部拡大図
【図５】  本発明門扉装置の要部拡大図
【図６】  本発明門扉装置における扉本体収納状態を表わす側面図
【図７】  本発明門扉装置における扉本体の移動状態を表わす説明図
【図８】  本発明門扉装置における扉本体の側面図
【符号の説明】
１      門扉装置
２      扉本体
３      支持アーム
４      吊元支柱
５      ガイドレール
８      錠装置
９      レバーハンドル
１０      シリンダー
１１      サムターン
【図１】
0003638888.tif 000002
【図２】
0003638888.tif 000003
【図３】
0003638888.tif 000004
【図４】
0003638888.tif 000005
【図５】
0003638888.tif 000006
【図６】
0003638888.tif 000007
【図７】
0003638888.tif 000008
【図８】
0003638888.tif 000009